(57)【要約】      （修正有）【課題】スライス位置の再現性を高める。【解決手段】初回の撮影時に取得したローカライザ画像データに基づいて、スライス位置ＳＬ１〜ＳＬｎを設定する。そして、スライス位置ＳＬ１〜ＳＬｎに基づいて、本スキャンを実行する。本スキャンを実行した後、本スキャンによって得られたＴ１強調画像データＤＴ１に対応付けてスライス位置ＳＬ１〜ＳＬｎを登録する。２回目以降の撮影時では、ローカライザ画像データＤｖｏｌを取得し、初回の撮影時に登録されたＴ１強調画像データＤＴ１と、ローカライザ画像データＤｖｏｌとの位置合わせを行い、２回目以降の撮影時のスライス位置ＳＬ１〜ＳＬｎを設定する。【選択図】図１１
2013094335.tif 000002
【特許請求の範囲】
【請求項１】
被検体の撮影部位の画像データを取得する磁気共鳴装置であって、
前記撮影部位の第１のスライス位置を設定するときに使用される第１のローカライザ画像データを取得するための第１のローカライザスキャンと、前記第１のスライス位置に基づいて前記撮影部位の画像データを取得するための第１の本スキャンとを含む一連のスキャンを実行するスキャン手段と、
前記一連のスキャンを実行する前に取得された前記撮影部位の過去の画像データと、前記過去の画像データを取得したときに前記撮影部位に設定された過去のスライス位置と、前記第１のローカライザ画像データとに基づいて、前記第１のスライス位置を設定するスライス位置設定手段と、
を有する磁気共鳴装置。
【請求項２】
前記過去の画像データには、前記過去のスライス位置が対応付けられており、
前記スライス位置設定手段は、
前記過去のスライス位置が対応付けられた前記過去の画像データと、前記第１のローカライザ画像データとの位置合わせを行い、位置合わせの結果に基づいて、前記第１のスライス位置を設定する、請求項１に記載の磁気共鳴装置。
【請求項３】
前記スライス位置設定手段は、
前記過去のスライス位置が対応付けられた前記過去の画像データと、前記第１のローカライザ画像データとの位置合わせを行い、位置合わせ後の前記第１のローカライザ画像データに対する前記過去のスライス位置を求める、請求項２に記載の磁気共鳴装置。
【請求項４】
前記スライス位置設定手段は、
位置合わせ後の前記第１のローカライザ画像データに対する前記過去のスライス位置を、前記第１のスライス位置として設定する、請求項３に記載の磁気共鳴装置。
【請求項５】
位置合わせ後の前記第１のローカライザ画像データに対する前記過去のスライス位置を表示する表示部を有し、
前記スライス位置設定手段は、
オペレータの操作に応じて、前記表示部に表示された前記過去のスライス位置を調整し、調整後の過去のスライス位置を、前記第１のスライス位置として設定する、請求項３に記載の磁気共鳴装置。
【請求項６】
前記スキャン手段は、
前記一連のスキャンを実行する前に、前記過去のスライス位置を設定するときに使用される第２のローカライザ画像データを取得するための第２のローカライザスキャンと、前記過去の画像データを取得するための第２の本スキャンとを含む別の一連のスキャンを実行する、請求項１〜５のうちのいずれか一項に記載の磁気共鳴装置。
【請求項７】
前記第１のローカライザ画像データは、前記撮影部位のボリューム画像データであり、前記第２のローカライザ画像データは、前記撮影部位の断面の画像データである、請求項６に記載の磁気共鳴装置。
【請求項８】
前記別の一連のスキャンは、前記撮影部位の初回の撮影時に実行されたスキャンであり、
前記一連のスキャンは、前記撮影部位の２回目以降の撮影時に実行されるスキャンである、請求項６又は７に記載の磁気共鳴装置。
【請求項９】
前記過去のスライス位置を前記過去の画像データに対応付けて登録する登録手段を有する、請求項２〜８のうちのいずれか一項に記載の磁気共鳴装置。
【請求項１０】
前記過去の画像データは、前記磁気共鳴装置とは別の磁気共鳴装置を用いて取得されている、請求項１〜９のうちのいずれか一項に記載の磁気共鳴装置。
【請求項１１】
前記過去の画像データは、ＣＴ装置を用いて取得されている、請求項１〜５のうちのいずれか一項に記載の磁気共鳴装置。
【請求項１２】
被検体の撮影部位の第１のスライス位置を設定するときに使用される第１のローカライザ画像データを取得するための第１のローカライザスキャンと、前記第１のスライス位置に基づいて前記撮影部位の画像データを取得するための第１の本スキャンとを含む一連のスキャンを実行する磁気共鳴装置のプログラムであって、
前記一連のスキャンを実行する前に取得された前記撮影部位の過去の画像データと、前記過去の画像データを取得したときに前記撮影部位に設定された過去のスライス位置と、前記第１のローカライザ画像データとに基づいて、前記第１のスライス位置を設定するスライス位置設定処理、
を計算機に実行させるためのプログラム。
【発明の詳細な説明】
【技術分野】
【０００１】
本発明は、被検体を撮影する磁気共鳴装置、およびプログラムに関する。
【背景技術】
【０００２】
被検体に病変部が見つかった場合、病変部の経時観察をするために、被検体を定期的に（例えば、１か月ごとに）撮影することがある。被検体を撮影する場合、一般的には、オペレータがスキャン位置を設定する必要があるが、近年、オペレータの作業負担を軽減するなどの観点から、スキャン位置を自動で設定する方法も開示されている（特許文献１参照）。
【先行技術文献】
【特許文献】
【０００３】
【特許文献１】特開2007-326078号公報
【発明の概要】
【発明が解決しようとする課題】
【０００４】
病変部の経時観察をする場合、初回の撮影時に設定したスライス位置と同じスライス位置で、２回目以降の撮影をすることが重要となる。したがって、初回の撮影時に設定したスライス位置を、２回目以降の撮影をするときに自動で再現できることが望ましい。しかし、一般的なスライス位置の自動設定方法では、初回の撮影時に設定したスライス位置を、２回目以降の撮影時に精度よく再現することは難しいという問題がある。そこで、スライス位置の再現性を高めることが望まれている。
【課題を解決するための手段】
【０００５】
本発明の第１の態様は、被検体の撮影部位の画像データを取得する磁気共鳴装置であって、
前記撮影部位の第１のスライス位置を設定するときに使用される第１のローカライザ画像データを取得するための第１のローカライザスキャンと、前記第１のスライス位置に基づいて前記撮影部位の画像データを取得するための第１の本スキャンとを含む一連のスキャンを実行するスキャン手段と、
前記一連のスキャンを実行する前に取得された前記撮影部位の過去の画像データと、前記過去の画像データを取得したときに前記撮影部位に設定された過去のスライス位置と、前記第１のローカライザ画像データとに基づいて、前記第１のスライス位置を設定するスライス位置設定手段と、
を有する磁気共鳴装置である。
【０００６】
本発明の第２の態様は、被検体の撮影部位の第１のスライス位置を設定するときに使用される第１のローカライザ画像データを取得するための第１のローカライザスキャンと、前記第１のスライス位置に基づいて前記撮影部位の画像データを取得するための第１の本スキャンとを含む一連のスキャンを実行する磁気共鳴装置のプログラムであって、
前記一連のスキャンを実行する前に取得された前記撮影部位の過去の画像データと、前記過去の画像データを取得したときに前記撮影部位に設定された過去のスライス位置と、前記第１のローカライザ画像データとに基づいて、前記第１のスライス位置を設定するスライス位置設定処理、
を計算機に実行させるためのプログラムである。
【発明の効果】
【０００７】
過去の画像データを取得したときに設定された過去のスライス位置に基づいて、第１の本スキャンを実行するときのスライス位置を設定するので、過去のスライス位置を精度よく再現することができる。
【図面の簡単な説明】
【０００８】
【図１】本発明の一形態の磁気共鳴装置の概略図である。
【図２】本形態で実行されるスキャンの一例を示す図である。
【図３】撮影部位を概略的に示す図である。
【図４】初回撮影時におけるＭＲ装置１００の動作フローを示す図である。
【図５】初回撮影時のローカライザスキャンＡによって取得されるローカライザ画像データの説明図である。
【図６】被検体１２の頭部に対して設定されたスライス位置ＳＬ１〜ＳＬｎを概略的に示す図である。
【図７】Ｔ１強調画像データＤＴ１に対応付けて登録されたスライス位置ＳＬ１〜ＳＬｎを概略的に示す図である。
【図８】２回目以降の撮影時におけるＭＲ装置１００の動作フローを示す図である。
【図９】２回目以降の撮影時のローカライザスキャンによって取得されるローカライザ画像データの説明図である。
【図１０】ローカライザ画像データＤｖｏｌの別の例を示す図である。
【図１１】位置合わせの説明図である。
【発明を実施するための形態】
【０００９】
以下、発明を実施するための形態について説明するが、本発明は、以下の形態に限定されることはない。
【００１０】
図１は、本発明の一形態の磁気共鳴装置の概略図である。
磁気共鳴装置（以下、「ＭＲ装置」と呼ぶ。ＭＲ：Magnetic Resonance）１００は、マグネット２、テーブル３、受信コイル４などを有している。
【００１１】
マグネット２は、被検体１２が収容されるボア２１を有している。また、マグネット２には、超伝導コイル２２、勾配コイル２３、送信コイル２４などが内蔵されている。超伝導コイル２２は静磁場を印加し、勾配コイル２３は勾配パルスを印加し、送信コイル２４はＲＦパルスを送信する。尚、超伝導コイル２２の代わりに、永久磁石を用いてもよい。
【００１２】
テーブル３は、クレードル３ａを有している。クレードル３ａは、ボア２１内に移動できるように構成されている。クレードル３ａによって、被検体１２はボア２１に搬送される。
【００１３】
受信コイル４は、被検体１２の頭部に取り付けられている。受信コイル４は、被検体１２からの磁気共鳴信号を受信する。
【００１４】
ＭＲ装置１００は、更に、シーケンサ５、送信器６、勾配磁場電源７、受信器８、中央処理装置９、操作部１０、および表示部１１を有している。
【００１５】
シーケンサ５は、中央処理装置９の制御を受けて、パルスシーケンスの情報を送信器６および勾配磁場電源７に送る。
【００１６】
送信器６は、シーケンサ５から送られた情報に基づいて、ＲＦコイル２４を駆動するための信号を出力する。
【００１７】
勾配磁場電源７は、シーケンサ５から送られた情報に基づいて、勾配コイル２３を駆動するための信号を出力する。
【００１８】
受信器８は、受信コイル４で受信された磁気共鳴信号を信号処理し、中央処理装置９に出力する。尚、マグネット２、送信器６、勾配磁場電源７、および受信器８を合わせたものが、スキャン手段に相当する。
【００１９】
中央処理装置９は、シーケンサ５および表示部１１に必要な情報を伝送したり、受信器８から受け取ったデータに基づいて画像を再構成するなど、ＭＲ装置１００の各種の動作を実現するように、ＭＲ装置１００の各部の動作を制御する。中央処理装置９は、例えばコンピュータ（computer）によって構成される。中央処理装置９は、スライス位置を設定するスライス位置設定手段９１と、スライス位置を登録する登録手段９２などを有している。
【００２０】
中央処理装置９は、スライス位置設定手段９１および登録手段９２を構成する一例であり、所定のプログラムを実行することにより、これらの手段として機能する。
【００２１】
操作部１０は、オペレータにより操作され、種々の情報を中央処理装置９に入力する。表示部１１は種々の情報を表示する。
ＭＲ装置１００は、上記のように構成されている。
【００２２】
図２は本形態で実行されるスキャンの一例を示す図、図３は撮影部位を概略的に示す図である。
【００２３】
本形態では、ローカライザスキャンＡと、本スキャンＢ１〜Ｂ３とを含む一連のスキャンＣを実行し、頭部を撮影する。
【００２４】
ローカライザスキャンＡは、頭部のスライス位置を設定するときに使用されるローカライザ画像データを取得するためのスキャンである。
【００２５】
本スキャンＢ１〜Ｂ３は、ローカライザ画像データを用いて設定されたスライス位置に基づいて、頭部を撮影するためのスキャンである。本形態では、３つの本スキャンＢ１〜Ｂ３を実行しているが、１つ又は２つの本スキャンを実行するようにしてもよいし、４つ以上の本スキャンを実行するようにしてもよい。尚、本形態では、本スキャンＢ１はＴ１強調画像データを取得するためのスキャン、本スキャンＢ２はＴ２強調画像データを取得するためのスキャン、本スキャンＢ３はＦＬＡＩＲ（Fluid attenuated IR）画像データを取得するためのスキャンである。しかし、本スキャンは、これら以外の画像データを取得するためのスキャンであってもよい。
【００２６】
次に、ＭＲ装置１００で被検体を撮影するときのフローについて説明する。以下では、被検体１２の頭部に病変があり、病変の大きさなどの経過観察をするために、被検体１２の頭部を定期的（例えば、３か月おき）に撮影する場合について説明する。本形態では、被検体１２の頭部を初めて撮影したときの初回撮影時におけるＭＲ装置の動作フローと、経過観察のために行われる２回目以降の撮影時におけるＭＲ装置の動作フローは、異なっている。以下に、初回撮影時におけるＭＲ装置の動作フローと、２回目以降の撮影時におけるＭＲ装置の動作フローについて順に説明する。
【００２７】
（１）初回撮影時におけるＭＲ装置１００の動作フロー
図４は、初回撮影時におけるＭＲ装置１００の動作フローを示す図である。
【００２８】
ステップＳＴ１では、ローカライザスキャンＡを実行し、頭部のスライス位置を設定するときに使用されるローカライザ画像データを取得する（図５参照）。
【００２９】
図５は、初回撮影時のローカライザスキャンＡによって取得されるローカライザ画像データの説明図である。
【００３０】
本形態では、初回撮影時におけるローカライザスキャンでは、３面のローカライザ画像データＤＡ、ＤＣ、およびＤＳを取得する。具体的には、アキシャル面、コロナル面、およびサジタル面のローカライザ画像データＤＡ、ＤＣ、およびＤＳを取得する。これらのローカライザ画像データＤＡ、ＤＣ、およびＤＳを取得した後、ステップＳＴ２に進む。
【００３１】
ステップＳＴ２では、３面のローカライザ画像データＤＡ、ＤＣ、およびＤＳに基づいて、被検体の頭部にスライス位置を設定する。スライス位置の位置情報は、例えば、オペレータが操作部１０を操作して、手動で入力することができる。具体的には、３面のローカライザ画像データＤＡ、ＤＣ、およびＤＳを表示部１１に表示させて、オペレータがこれらのローカライザ画像データＤＡ、ＤＣ、およびＤＳを参照しながら、スライス位置の位置情報を入力することができる。スライス位置設定手段９１（図１参照）は、オペレータによって入力されたスライス位置を、被検体の頭部を撮影するときのスライス位置として設定する。図６に、被検体１２の頭部に対して設定されたスライス位置ＳＬ１〜ＳＬｎを概略的に示す。尚、近年は、スライス位置を自動で設定する技術も普及しているので、スライス位置設定手段９１がスライス位置を自動で設定してもよい。スライス位置を設定した後、ステップＳＴ３に進む。
【００３２】
ステップＳＴ３では、ステップＳＴ２で設定されたスライス位置ＳＬ１〜ＳＬｎに従って、本スキャンＢ１〜Ｂ３が行われる。本形態では、本スキャンＢ１〜Ｂ３を実行することによって、Ｔ１強調画像データ、Ｔ２強調画像データ、およびＦＬＡＩＲ画像データを取得する。これらの画像データを取得した後、ステップＳＴ４に進む。
【００３３】
ステップＳＴ４では、本スキャンＢ１により取得されたＴ１強調画像データと、スライス位置ＳＬ１〜ＳＬｎとの登録を行う。オペレータは、操作部１０を操作して、この登録を行うための命令を入力する。この命令が入力されると、登録手段９２（図１参照）は、本スキャンＢ１により取得されたＴ１強調画像データにスライス位置ＳＬ１〜ＳＬｎを対応付けて、データベースに登録する。図７に、スライス位置ＳＬ１〜ＳＬｎが対応付けられたＴ１強調画像データＤＴ１を概略的に示す。このようにして、図４に示すフローが終了する。
【００３４】
（２）２回目の撮影時におけるＭＲ装置１００の動作フローについて
図８は、２回目の撮影時におけるＭＲ装置１００の動作フローを示す図である。
【００３５】
ステップＳＴ１では、初回の撮影と同様に、ローカライザ画像データを取得するためのローカライザスキャンＡ（図２参照）を実行する。ただし、２回目では、３面のローカライザ画像データＤＡ、ＤＣ、およびＤＳではなく、頭部全体のローカライザ画像データを取得する（図９参照）。
【００３６】
図９は、２回目の撮影時のローカライザスキャンによって取得されるローカライザ画像データの説明図である。
【００３７】
２回目の撮影では、頭部のローカライザ画像データＤｖｏｌを取得する。ローカライザ画像データＤｖｏｌは、頭部を横切る３面（アキシャル面、コロナル面、サジタル面）の画像データではなく、頭部のボリューム画像データである。ローカライザ画像データＤｖｏｌは、２Ｄスキャンによって取得してもよいし、３Ｄスキャンによって取得してもよい。尚、ローカライザ画像データＤｖｏｌは、頭部全体の大まかな形状を表すことができるのであれば、図１０に示すように、データが収集されない領域が含まれていてもよい。本形態では、ローカライザ画像データＤｖｏｌは、図９に示すように、頭部全体からデータを収集したとする。ローカライザ画像データＤｖｏｌを取得した後、ステップＳＴ２に進む。
【００３８】
ステップＳＴ２では、初回の撮影終了後に登録されたＴ１強調画像データＤＴ１（図７参照）を読み出す。Ｔ１強調画像データＤＴ１にはスライス位置ＳＬ１〜ＳＬｎが対応付けられているので、Ｔ１強調画像データＤＴ１を読みだすことによって、初回の撮影時に設定された過去のスライス位置ＳＬ１〜ＳＬｎを知ることができる。スライス位置ＳＬ１〜ＳＬｎが対応付けられたＴ１強調画像データＤＴ１を読み出した後、ステップＳＴ３に進む。
【００３９】
ステップＳＴ３では、スライス位置設定手段９１が、ローカライザ画像データＤｖｏｌと、読み出したＴ１強調画像データＤＴ１との位置合わせを行う（図１１参照）。
【００４０】
図１１は、位置合わせの説明図である。
スライス位置設定手段９１は、ローカライザ画像データＤｖｏｌと、Ｔ１強調画像データＤＴ１との位置ずれが最も小さくなるように、ローカライザ画像データＤｖｏｌと、Ｔ１強調画像データＤＴ１との位置合わせを行う。位置合わせの方法としては、例えばアフィン（Affine）変換を用いることができる。Ｔ１強調画像データＤＴ１には、初回の撮影時に設定された過去のスライス位置ＳＬ１〜ＳＬｎが対応付けられているので、ローカライザ画像データＤｖｏｌと、Ｔ１強調画像データＤＴ１との位置合わせを行うことによって、ローカライザ画像データＤｖｏｌに対して、初回の撮影時に設定された過去のスライス位置ＳＬ１〜ＳＬｎを位置決めすることができる。このようにして位置決めされたスライス位置ＳＬ１〜ＳＬｎが、２回目の撮影時におけるスライス位置として設定される。２回目の撮影時におけるスライス位置を設定した後、ステップＳＴ４に進む。
【００４１】
ステップＳＴ４では、ステップＳＴ３で設定されたスライス位置ＳＬ１〜ＳＬｎに従って、本スキャンが行われる。本スキャンでは、初回の撮影時と同様に、Ｔ１強調画像データ、Ｔ２強調画像データ、およびＦＬＡＩＲ画像データなどが取得される。このようにして、２回目の撮影を終了する。
【００４２】
３回目の撮影を行う場合も、図８に示すフローに従って撮影が実行される。具体的には、ローカライザスキャンを実行し（ステップＳＴ１）、初回の撮影時に登録されたＴ１強調画像データＤＴ１を読み出し（ステップＳＴ２）、読み出したＴ１強調画像データＤＴ１と、３回目の撮影のときに取得されたローカライザ画像データとの位置合わせを行い、スライス位置ＳＬ１〜ＳＬｎを設定する（ステップＳＴ３）。そして、設定されたスライス位置ＳＬ１〜ＳＬｎに基づいて、本スキャンを実行する（ステップＳＴ４）。４回目以降の撮影を行う場合も、図８に示すフローに従って撮影が実行される。
【００４３】
本形態では、被検体１２の頭部を経過観察する場合、初回の撮影時に得られた過去のスライス位置ＳＬ１〜ＳＬｎに基づいて、２回目以降の撮影を行うときのスライス位置を設定する。したがって、初回の撮影時に設定した過去のスライス位置を、２回目以降の撮影時に精度よく再現することでき、同じスライス位置で経過観察をすることができる。
【００４４】
また、本形態では、２回目以降の撮影時に実行された一連のスキャンのローカライザスキャンでは、ローカライザ画像データＤｖｏｌは、ボリューム画像データである。ローカライザ画像データＤｖｏｌとしてボリューム画像データを使用することによって、ステップＳＴ３（図８参照）におけるローカライザ画像データＤｖｏｌとＴ１強調画像データＤＴ１との位置合わせを高精度で行うことができる。したがって、初回の撮影時に設定した過去のスライス位置を、２回目以降の撮影時に精度よく再現することできる。尚、位置合わせを十分な精度で行うことができるのであれば、２回目以降の撮影時においても、ボリューム画像データの代わりに、アキシャル面、サジタル面、コロナル面などの断層面の画像データを、ローカライザ画像データとして取得してもよい。
【００４５】
本形態では、初回の撮影時に設定したスライス位置ＳＬ１〜ＳＬｎをＴ１強調画像データＤＴ１に対応付けて登録している。しかし、初回の撮影時のステップＳＴ３（図４参照）では、Ｔ１強調画像データＤＴ１の他に、Ｔ２強調画像データと、ＦＬＡＩＲ画像データも取得している。したがって、Ｔ１強調画像データＤＴ１の代わりに、Ｔ２強調画像データ又はＦＬＡＩＲ画像データにスライス位置ＳＬ１〜ＳＬｎを対応付けて登録してもよい。
【００４６】
本形態では、初回の撮影時に設定したスライス位置ＳＬ１〜ＳＬｎに基づいて、２回目以降の撮影を行うときのスライス位置を設定している。しかし、２回目以降の撮影時においてスライス位置ＳＬ１〜ＳＬｎを再登録し、その後の撮影では、再登録されたスライス位置ＳＬ１〜ＳＬｎに基づいてスライス位置を設定してもよい。
【００４７】
本形態では、初回の撮影時に実行された一連のスキャンのローカライザスキャンでは、アキシャル面、サジタル面、コロナル面の３面のローカライザ画像データを取得している。しかし、初回の撮影時におけるスライス位置を決めることができるのであれば、アキシャル面、サジタル面、コロナル面のうちのいずれか１つの面、又はいずれか２つの面のローカライザ画像データのみを取得してもよい。また、アキシャル面、サジタル面、コロナル面とは別に、オブリーク面のローカライザ画像データを取得してもよい。更に、アキシャル面、サジタル面、コロナル面の３面のローカライザ画像データの代わりに、撮影部位のボリューム画像データを、ローカライザ画像データとしてもよい。
【００４８】
また、２回目以降の撮影を行うときに設定されたスライス位置ＳＬ１〜ＳＬｎを、表示部に表示させて、オペレータが確認できるようにしてもよい。更に、必要に応じて、オペレータが、表示部に表示されたスライス位置ＳＬ１〜ＳＬｎを調整し、調整後のスライス位置を、２回目以降の撮影を行うときのスライス位置として設定してもよい。
【００４９】
尚、本形態では、初回の撮影および２回目以降の撮影は、同じＭＲ装置を用いて実行されている。しかし、初回の撮影を実行したＭＲ装置とは別のＭＲ装置を用いて、２回目以降の撮影を実行してもよい。この場合、初回の撮影を実行したＭＲ装置によって得られた過去の画像データと過去のスライス位置とを対応付けておけば、別のＭＲ装置で２回目以降の撮影をするときであっても、過去の画像データと、ローカライザ画像データとの位置合わせを行うことによって、過去のスライス位置を精度よく再現することができる。
【００５０】
また、初回の撮影をＣＴ装置で行い、２回目以降の撮影をＭＲ装置で行ってもよい。この場合、ＣＴ装置によって得られた過去の画像データと過去のスライス位置を対応付けておけば、ＭＲ装置で２回目以降の撮影をするときであっても、過去の画像データと、ローカライザ画像データとの位置合わせを行うことによって、やはり、過去のスライス位置を精度よく再現することができる。
【符号の説明】
【００５１】
２  マグネット
３  テーブル
３ａ  クレードル
４  受信コイル
５  シーケンサ
６  送信器
７  勾配磁場電源
８  受信器
９  中央処理装置
１０  操作部
１１  表示部
１２  被検体
２１  ボア
２２  超伝導コイル
２３  勾配コイル
２４  送信コイル
９１  スライス位置設定手段
９２  登録手段
【図１】
2013094335.tif 000003
【図２】
2013094335.tif 000004
【図３】
2013094335.tif 000005
【図４】
2013094335.tif 000006
【図５】
2013094335.tif 000007
【図６】
2013094335.tif 000008
【図７】
2013094335.tif 000009
【図８】
2013094335.tif 000010
【図９】
2013094335.tif 000011
【図１０】
2013094335.tif 000012
【図１１】
2013094335.tif 000013